(57)【要約】【課題】フチ無しコピーなどを行なう高機能化かつ複合化された画像処理システムにおいて、簡単安価な構成により効率よく確実に画像処理を行えるようにする。【解決手段】画像読取手段により原稿から全面読取した画像を所定の変倍倍率で拡大して記録紙に記録するフチ無しコピーモードにより原稿画像を記録紙に記録するに際して、原稿画像の拡大により、記録紙からはみ出して非記録となる画像の大きさに相当するはみ出し量をユーザ設定させ（Ｓ６０３、Ｓ６０５）、ユーザが設定したはみ出し量に基づき、前記拡大の際の変倍倍率を決定する（Ｓ６０４、Ｓ６０６）。【選択図】　　　　図６
2004104190.tif 000002
【特許請求の範囲】
【請求項１】
画像読取手段により原稿から全面読取した画像を所定の変倍倍率で拡大して記録紙に記録するフチ無しコピーモードにより原稿画像を記録紙に記録する画像処理装置において、
前記原稿画像の拡大により、記録紙からはみ出して非記録となる画像の大きさに相当するはみ出し量をユーザ設定する設定手段と、
前記設定手段によりユーザが設定したはみ出し量に基づき、前記拡大の際の変倍倍率を決定する制御手段を有することを特徴とする画像処理装置。
【請求項２】
前記フチ無しコピーモードにおいて、全面読取した画像を所定の変倍倍率で拡大した画像をセンタリングして記録紙に記録することを特徴とする請求項１に記載の画像処理装置。
【請求項３】
原稿画像を読取る複数の画像読取手段を有し、原稿画像を記録紙にフチ無しコピーするフチ無しコピーモードが選択されており、かつ前記フチ無しコピーモードで行なう原稿の全面読取に適さない画像読取手段が選択されている場合、それ以上の画像処理動作を禁止することを特徴とする請求項１に記載の画像処理装置。
【請求項４】
前記複数の画像読取手段の選択状態を画像読取手段に対する原稿のセット状態を介して検出することを特徴とする請求項３に記載の画像処理装置。
【請求項５】
前記複数の画像読取手段が原稿搬送に関する部材を除く一部の部材を共有することを特徴とする請求項３に記載の画像処理装置。
【請求項６】
画像読取手段により原稿から全面読取した画像を所定の変倍倍率で拡大して記録紙に記録するフチ無しコピーモードにより原稿画像を記録紙に記録する画像処理装置の制御方法において、
前記原稿画像の拡大により、記録紙からはみ出して非記録となる画像の大きさに相当するはみ出し量をユーザ設定する設定ステップと、
前記設定ステップにおいてユーザが設定したはみ出し量に基づき、前記拡大の際の変倍倍率を決定する制御ステップを含むことを特徴とする画像処理装置の制御方法。
【請求項７】
前記フチ無しコピーモードにおいて、全面読取した画像を所定の変倍倍率で拡大した画像をセンタリングして記録紙に記録することを特徴とする請求項６に記載の画像処理装置の制御方法。
【請求項８】
原稿画像を記録紙にフチ無しコピーするフチ無しコピーモードが選択されており、かつ、複数の画像読取手段の内前記フチ無しコピーモードで行なう原稿の全面読取に適さない画像読取手段が選択されている場合、それ以上の画像処理動作を禁止することを特徴とする請求項６に記載の画像処理装置の制御方法。
【請求項９】
前記複数の画像読取手段の選択状態を画像読取手段に対する原稿のセット状態を介して検出することを特徴とする請求項８に記載の画像処理装置の制御方法。
【請求項１０】
画像読取手段により原稿から全面読取した画像を所定の変倍倍率で拡大して記録紙に記録するフチ無しコピーモードにより原稿画像を記録紙に記録する画像処理装置の制御プログラムにおいて、
前記原稿画像の拡大により、記録紙からはみ出して非記録となる画像の大きさに相当するはみ出し量をユーザ設定する設定ステップと、
前記設定ステップにおいてユーザが設定したはみ出し量に基づき、前記拡大の際の変倍倍率を決定する制御ステップを含むことを特徴とする画像処理装置の制御プログラム。
【請求項１１】
前記フチ無しコピーモードにおいて、全面読取した画像を所定の変倍倍率で拡大した画像をセンタリングして記録紙に記録する制御ステップを含むことを特徴とする請求項１０に記載の画像処理装置の制御プログラム。
【請求項１２】
原稿画像を記録紙にフチ無しコピーするフチ無しコピーモードが選択されており、かつ、複数の画像読取手段の内前記フチ無しコピーモードで行なう原稿の全面読取に適さない画像読取手段が選択されている場合、それ以上の画像処理動作を禁止する制御ステップを含むことを特徴とする請求項１０に記載の画像処理装置の制御プログラム。
【請求項１３】
前記複数の画像読取手段の選択状態を画像読取手段に対する原稿のセット状態を介して検出する制御ステップを含むことを特徴とする請求項１２に記載の画像処理装置の制御プログラム。
【発明の詳細な説明】
【０００１】
【発明の属する技術分野】
本発明は、画像読取手段により原稿から全面読取した画像を所定の変倍倍率で拡大して記録紙に記録するフチ無しコピーモードにより原稿画像を記録紙に記録する画像処理装置、その制御方法、およびその制御プログラムに関する。
【０００２】
【従来の技術】
従来より、画像読取り装置は、単機能のコンピュータ用の周辺機器（イメージスキャナ）として製品化される他、ファクシミリ装置や複写機、さらに近年では、画像読取り、複写、ファクシミリ送信などの複数機能を複合したＭＦＰ（Ｍｕｌｔｉ　Ｆｕｎｃｔｉｏｎ　Ｐｅｒｉｐｈｅｒａｌ：多機能周辺機器）などに広く用いられている。
【０００３】
多くの画像読取装置では読取ヘッドと原稿の間の相対移動によって読取走査を行っているが、画像読取装置の読取方式を原稿の搬送方式で分類すると、原稿ガラスの上に原稿を配置して読取ヘッドの方を移動させる方式、逆に読取ヘッドは移動させずに原稿の側を移動させる方式などがある。さらに、原稿の給送については、手動によるものの他、ＡＤＦ（自動原稿給送装置）により、読取位置（原稿、読取ヘッドのいずれを給送するかは問わない）に原稿を送り込む構成も用いられている。
【０００４】
また、現在の画像読取装置では、単一の読取方式だけではなく、２つ以上の複数の読取り方式が可能な装置も珍しくなく、たとえばＡＤＦ読取方式と、フラットベッド読取り方式の双方を利用できるものが存在する。
【０００５】
また、現在では、単に読取った原稿の画像をそのまま記録紙に記録したりファクシミリ送信したりするだけではなく、原稿の読取から原稿画像が利用されるまでの過程の間に様々な制御を行ない、また、それによって原稿画像に対して複数の異なる処理機能を実装するのが当たり前になってきた。
【０００６】
たとえば、特にコピー（複写）に限り列挙するだけでも、次のような種類のコピー機能が存在する。
【０００７】
（１）単純に原稿をコピーするだけの通常コピー
（２）オペレータに指定された繰返し数だけ記録紙に繰返し原稿をコピーする繰返しコピー（手動）
（３）記録紙に記録できるだけ繰返し原稿をコピーする繰返しコピー（自動）
（４）原稿を鏡に映したように反転してコピーする鏡像コピー
（５）自動的に倍率を決定し、記録紙サイズいっぱいにコピーする自動倍率コピー
（６）記録部の非画像領域（記録紙周囲の余白）なしで記録紙全面に原稿をコピーするフチ無しコピー
【０００８】
【発明が解決しようとする課題】
上述のように、画像読取装置では、ＡＤＦ読取方式とフラットベッド読取方式のように、複数の読取方式による読取手段を利用可能な構成が要求されることがあるが、このような構成においては、できるだけ簡単かつ誤りなく複数の読取方式を選択して画像処理が行えるのが望ましい。
【０００９】
たとえば、単に手動操作により複数の読取方式を選択するような方式では、ユーザの負担が大きく、また、操作ミスなどによって目的の画像処理を失敗してしまう可能性が高い。特に装置が多機能である程（たとえばコピー（複写）に限っても、上記のように様々なコピー機能が存在する）、操作ミスによって不適当な読取方式を選択してしまい画像処理を失敗する可能性も高くなる。
【００１０】
たとえば、手動操作による読取処理の制御では、原稿の全面読取りが必要な画像読取モードを選択しているにもかかわらず、全面読取りが不可能な読取方式を選択してしまう可能性がある。
【００１１】
このような原稿の全面読取りが必要な画像読取モードとしては、上記のコピーモードのうち（６）のフチ無しコピーがある。フチ無しコピーとは、記録紙の全面に周囲の余白無しで（あるいは極めて少ない余白で）原稿から読取った画像を記録するものである。このとき、読取に際しては原稿の全面からほぼ欠落なく画像を全面読取する必要がある。
【００１２】
そして、ＡＤＦ方式の読取り手段の場合は製造コストや製品仕様の関係から全面読取りが不可能なものもあり、このような読取り手段では、原稿の全面読取り、したがって、（６）のようなフチ無しコピーを行うことができない。
【００１３】
したがって、それぞれでフチ無しを行う／行わない等様々な複数の読取方式を選択可能で、かつ複数の読取りモードを利用できるような構成においては、ユーザが余計な操作を行わなくても確実に読取り処理を行えるようになっているのが望ましい。
【００１４】
以上のような事情で、フチ無しコピーを簡単安価な構成により効率よく確実にフチ無し印刷できる構成が強く望まれている。
【００１５】
また、従来のフチ無しコピーには、設定操作が煩雑である、という問題があった。フチ無しコピーでは、読取に際しては原稿の全面からほぼ欠落なく画像を全面読取し、さらに、記録紙の全面に記録を行なうため、適当な倍率で記録紙から所定のはみ出し量だけはみ出す程度まで画像を拡大した上、プリンタエンジンへの出力を行なう。このような拡大処理は、より完全な（あるいは極めて余白の少ない）フチ無し記録を行なうために必要なものである。もし、上記のような拡大／センタリングを行なわければ、原稿サイズと記録紙サイズが等倍のフチ無しコピーであっても原稿位置の誤差や読取／記録精度の誤差が存在するために、「フチ無し」を標傍できない程度まで記録紙周囲の余白が大きくなってしまう可能性がある。
【００１６】
そして、従来、ユーザがフチ無し印刷を選択する場合には、手動操作により上記の画像処理の制御に必要な余白量や拡大倍率などの数値設定を行なう必要があった。原稿サイズなどに基づき、これらの必要な制御パラメータとして適当なデフォルト値を用いることにしてもよいが、このような制御では安定した余白の制御が行なえず、体裁の良いフチ無し印刷を確実に行なえない可能性がある。
【００１７】
本発明の課題は、上記の問題に鑑み、フチ無しコピーなどを行なう高機能化かつ複合化された画像処理システムにおいて、簡単安価な構成により効率よく確実に画像処理を行えるようにすることを課題とする。
【００１８】
【課題を解決するための手段】
上記の課題を解決するため、本発明によれば、画像読取手段により原稿から全面読取した画像を所定の変倍倍率で拡大して記録紙に記録するフチ無しコピーモードにより原稿画像を記録紙に記録する画像処理装置、その制御方法、およびその制御プログラムにおいて、前記原稿画像の拡大により、記録紙からはみ出して非記録となる画像の大きさに相当するはみ出し量をユーザ設定させ、ユーザが設定したはみ出し量に基づき、前記拡大の際の変倍倍率を決定する構成を採用した。
【００１９】
【発明の実施の形態】
以下、図を参照して本発明の実施の形態を説明する。ただし、以下の実施形態の構成（構成要素の相対配置、寸法、表示画面など）は、特に特定的な記載がない限りは、この発明の範囲をそれらのみに限定する趣旨のものではないのはいうまでもない。
【００２０】
以下では、画像処理装置の一実施形態として、スキャニング機能、プリンティング機能、及びコピー機能を併せ持つ、ＭＦＰ（Ｍｕｌｔｉ　Ｆｕｎｃｔｉｏｎ
Ｐｅｒｉｐｈｅｒａｌ：多機能周辺機器）の実施形態を示す。
【００２１】
図１は、本発明を採用したＭＦＰの回路構成を示している。図１においてＣＰＵ１０１は、ＭＦＰのシステム制御部であり、ＭＦＰを構成する各ブロックを制御する。
【００２２】
ＲＯＭ１０２は、ＭＦＰのシステム制御プログラムを格納するものである。なお、ＣＰＵ１０１は、ＲＯＭ１０２に格納されている制御プログラムに基づいて、ＭＦＰに関する各種の動作を実行する。このようなＣＰＵ１０１の制御プログラムは、ＲＯＭ１０２に格納されているものに限らず、フレキシブルディスクやＣＤ−ＲＯＭなどによる外部の記憶媒体に記憶されているものでもよく、専用の読取装置によって、ＭＦＰのＲＡＭ（例えばＳＲＡＭ１０４）に取り込み、ＣＰＵ１０１が解読し、実行するような構成であってもよい。
【００２３】
プリンタ１０３は、読み取った、あるいは入力された画像データを記録紙に記録するためのもので、任意の画像記録方式（電子写真方式、インクジェット方式など）により構成される。
【００２４】
ＳＲＡＭ１０４は、主にＭＦＰの登録データなどの格納に、また、ＤＲＡＭ１０５は、主に画像データなどの格納に用いられる。
【００２５】
イメージプロセッサ１０６は、イメージセンサ１０７によって入力された画像データに対して各種の画像処理（画像の変倍、所定のイメージフォーマットデータへの変換など）を行なう。イメージセンサ１０７は、原稿上の画像の読取りを行なうためのもので、接触型読取りセンサなどから構成される。
【００２６】
操作パネル１０８は、装置の状態などを表示するためのディスプレイ１０９を有し、オペレータからの動作指示入力や各種データ登録のために用いられる。ディスプレイ１０９は装置の状態をユーザにモニタさせるためにも用いられる。
【００２７】
ＰＣインターフェース１１０は、ＭＦＰとＰＣ（パーソナルコンピュータ）１１１とを接続するインターフェースである。ＰＣ１１１は、本ＭＦＰを周辺装置として利用するとともに、ＭＦＰの各種設定データ変更や各種動作の起動要求を行なうことのできるホストコンピュータである。
【００２８】
図２は、図１のＭＦＰの操作パネルの構成を示している。以下図２の各部材につき説明する。
【００２９】
電源キー３０１は、本ＭＦＰの主電源のＯＮ／ＯＦＦを行なうためのものである。
【００３０】
リカバリキー３０２は本ＭＦＰのエラー解除を行なうためのものである。
【００３１】
メモリ使用表示ＬＥＤ３０３は画像メモリの使用状態を示すためのもので、メモリ使用表示ＬＥＤ３０３が点滅しているときは、本装置がメモリを使用していることを意味している。
【００３２】
エラー表示ＬＥＤ３０４はエラー表示を行なうためのもので、エラー表示ＬＥＤ３０４が点滅している時は、本装置がエラー状態であることを意味する。
【００３３】
モード切替キー３０５は、本装置のスタンバイ状態をコピーモードあるいはＦＡＸモードあるいはスキャナーモードに切り替えるために用いられる。
【００３４】
カラーモード表示ＬＥＤ３０６は、画像の色処理に関するモード表示のためのもので、カラーモード表示ＬＥＤ３０６が点灯している時は、本装置がカラー読取モードであることを意味する。
【００３５】
カラー／モノクロモードは、カラー／モノクロ切替キー３０７によって、切り替えることが可能であり、読取モードがカラーのときは、カラーモード表示ＬＥＤ３０６が点灯し、モノクロモードのときはカラーモード表示ＬＥＤ３０６が消灯する。
【００３６】
ストップキー３０８は、本装置の動作を停止させるためのキー、スタートキー３０９は、本装置の動作を開始させるためのキーである。
【００３７】
テンキー３１０は、コピー枚数、ファクシミリ通信相手の電話番号などの数値入力を行なうために用いられる。
【００３８】
画質モードの切り替え、たとえばコピー画像（あるいはファクシミリ画像）の画質の切り替えはコピー画質選択キー３１１により行なう。
【００３９】
コピー濃度の調整はコピー濃度調整キー３１２により行なう。
【００４０】
記録紙サイズ選択キー３１３は、プリンタ１０３にセットされている記録紙サイズの設定のために用いられる。
【００４１】
本装置のコピー倍率の設定は、コピー倍率設定キー３１４によって行なう。
【００４２】
セットキー３１５は、各種登録モードなどにおいて、設定項目の決定の際に用いられる。
【００４３】
メニューキー３１６により、各種設定項目をディスプレイ３１７上に表示させることができる。
【００４４】
ディスプレイ３１７は図１のディスプレイ１０９に対応するもので、液晶表示器などから構成される。
【００４５】
図３は、図１のＭＦＰの画像読取部の主要部の構成を示している。本実施形態の画像読取部は図に示すようにＡＤＦおよびフラットベッド方式の２つの画像読取方式を利用できるよう構成されている。
【００４６】
図３では、ＡＤＦおよびフラットベッド方式の画像読取部は、原稿搬送に関する部材を除く一部の部材（本実施形態の場合イメージセンサや白黒基準板）を共有している。図３において、白黒基準板１８１０は、原稿台１８０７の下部に配置され、イメージセンサ１８０６のシェーディングデータを生成する。白黒基準板１８１０は白色部と黒色部の２色の部分から構成されており、白黒基準板１８１０下部にイメージセンサ１８０６を移動してイメージセンサ１８０６の下でイメージセンサ１８０６の照明光源（不図示）を点灯あるいは消灯させることにより、各色のシェーディングデータを取得することができる。
【００４７】
原稿突き当て位置１８０９は、原稿台１８０７上に正しく原稿を積載するための基準となる原稿の先端を配置するための基準となる突き当て位置である。
【００４８】
圧板１８１１は、原稿読取時に外光が入らないようにするための蓋であり、内側は白色シートで作られている。
【００４９】
イメージセンサ１８０６は、透明ガラスによって作られた原稿台１８０７下部に配置され、不図示の駆動手段により原稿台１８０７上の原稿１８０８を走査し、その画像を読取る。装置がスタンバイ状態（ＡＤＦ読取方式が選択されている場合を除く）であるときは、イメージセンサ１８０６はイメージセンサホームポジション１８０５で待機する。
【００５０】
イメージセンサ１８０６や、白黒基準板１８１０はＡＤＦを用いた読取においても共用される。
【００５１】
以上のフラットベッド部の一端の原稿台上にはＡＤＦが配置される。ＡＤＦは最初から装置に組込まれる他、オプション部品などとして着脱される構成をとってもよい。
【００５２】
ＡＤＦは、原稿セット位置１８０１から原稿排出位置１８０３へと１枚づつ原稿を搬送するローラなどから成る搬送手段１８１２を有し、搬送手段１８１２下部のＡＤＦ読取り位置１８０４にイメージセンサ１８０６を移動させることにより、自動搬送された原稿の画像を読取ることができる。
【００５３】
ＡＤＦの原稿セット位置１８０１端部には、光学センサやリミットスイッチなどから成る原稿検知センサ１８０２が設けてあり、この原稿検知センサ１８０２により原稿セット位置１８０１上の原稿の有無を検知することができる。
【００５４】
原稿検知センサ１８０２が原稿を検知している場合は、ＡＤＦ読取方式が選択されたものとし、フラットベッド読取方式は使用せず、所定の操作（図２のスタートキー３０９の操作など）に応じてＡＤＦ読取を行なう。
【００５５】
ＡＤＦ読取においては、イメージセンサ１８０６をＡＤＦ読取り位置１８０４に移動し、原稿を原稿排出位置１８０３に向け搬送させながらＡＤＦ読取位置１８０４上を原稿が通過する時にその部分の画像を読取る。
【００５６】
原稿検知センサ１８０２が原稿を検知しておらず（あるいは他の明示的な操作によって）、ＡＤＦ読取方式が選択状態となっていない場合は、フラットベッド読取方式が選択される。フラットベッド読取方式が選択されている場合はイメージセンサ１８０６はイメージセンサホームポジション１８０５に戻り、スタンバイ状態となる。
【００５７】
なお、図３のようなＡＤＦ読取部の構成では、搬送手段１８１２により逆方向への搬送を行なうのが困難（たとえ可能であっても複雑高価かつ非現実的な構成が要求される場合が多い）であり、ＡＤＦ読取方式が選択されている場合は、（原稿サイズ検知などの目的で）プリスキャンを行なうことができない。
【００５８】
また、図３のようなＡＤＦ読取部による原稿自動搬送は、後述のフチ無しコピー動作に適さない。というのは、フチ無しコピー動作では、原稿の斜行などを極めて厳密に制御し原稿全面の読取を正確に行なうに充分な搬送精度を得る必要があるが、製造コストの制約などから、このような搬送精度を得るのが困難であるからである。
【００５９】
図１〜図３に示したＭＦＰは、画像記録、画像読取、原稿コピー、ファクシミリ送受信などの動作を行なうことができる。本実施形態のＭＦＰの画像処理、特に画像読取を伴なう画像処理において、画像読取手段は上述のフラットベッド読取方式ないしＡＤＦ読取方式のいずれかにより読取を行なうが、これらの読取方式の選択はコピーモードの種別、特に、原稿サイズの検出を必要とするか否か、あるいは全面読取（フチ無しコピーなど）を必要とするか否かなどにより制御される。
【００６０】
以下、図４を参照してＣＰＵ１０１が実行する制御を説明する。図４は、本ＭＦＰにおいてＣＰＵ１０１が実行する制御、特に画像読取制御に関する制御の概略を示している。
【００６１】
図４のステップＳ４０１において、モード切替キー３０５の状態を調べることでコピーモードであるかどうか判断する。コピーモードであるときはオペレータからのコピー指示（ステップＳ４０２）を待ち、コピーモードではないときは、ステップＳ４０７においてＦＡＸモードであるか判断する。
【００６２】
ステップＳ４０７においてＦＡＸモードである場合は、ステップＳ４０８でオペレータからのＦＡＸ指示を待ち、オペレータが倍率、濃度、画質、記録紙サイズ、モードなどの設定を行なった後、スタートキー３０９が押されたら（ステップＳ４０９）、ファクシミリ送信を行なう（ステップＳ４１１）。
【００６３】
また、ステップＳ４０７においてＦＡＸモードではないときは、スキャンモードであるので、接続されているＰＣ１１１からのスキャン指示を待ち（ステップＳ４１２）、ＰＣ１１１からのスキャン指示があれば、ステップＳ４１３でそのスキャン指示の通りのスキャンを行なう。
【００６４】
ＰＣ１１１からのスキャン指示がなければ、ステップＳ４１４でスタートキー３０９の押下を調べ、スタートキー３０９が押されていれば、逆にＰＣ１１１にスキャンモードを要求する（ステップＳ４１５）。ＰＣ１１１側から所望のスキャンモードを取得できた場合（ステップＳ４１６）は、取得したスキャンモード通りの画像読取処理を行なう（ステップＳ４１７）。
【００６５】
以上のＦＡＸモード（ステップＳ４０７〜）およびスキャンモード（ステップＳ４１２〜）においても、後述のプリスキャンによる原稿サイズ検出を行なってもよいが、本実施形態ではＦＡＸモードおよびスキャンモードにおいては、プリスキャンによる原稿サイズ検出は行なわないものとする。
【００６６】
さて、ステップＳ４０１で現在の状態がコピーモードである場合は、ステップＳ４０２においてオペレータが倍率、濃度、画質、記録紙サイズ、コピー種類などのコピー設定を行なった後、スタートキー３０９が押されたら（ステップＳ４０３）、ステップＳ４１８、Ｓ４０４、およびＳ４１９の判定を行ない、その結果に応じてコピー処理を行なう。
【００６７】
まず、ステップＳ４１８では、現在設定されているコピーの種類（コピーモード）がフチ無しコピーであるか否かを判定する。
【００６８】
ステップＳ４１８が否定された場合にはＳ４０４において、現在設定されているコピーの種類（コピーモード）がプリスキャンによる原稿サイズ検知を行なうコピーであるかどうかを調べる。
【００６９】
ステップＳ４０４において、プリスキャンによる原稿サイズ検知を行なわない場合は、ステップＳ４１０において選択されているコピーモードにより原稿サイズ検知なしのコピー処理を行なう（たとえば設定されたサイズの記録紙を用いてコピーを行なう）。
【００７０】
一方、ステップＳ４１８またはステップＳ４０４が肯定された場合にはステップＳ４１９に移行する。ステップＳ４１８またはステップＳ４０４が肯定された場合は、原稿の全面読取が必要なフチ無しコピーモード、または、原稿サイズ検出が必要なコピーモードが選択されていることを意味する。そして、上述のようにＡＤＦ読取方式はこれらのモードには適さないため、ステップＳ４１９ではＡＤＦに原稿がセットされている（ＡＤＦ読取方式が選択されている）か否かを判定する。ステップＳ４１９において、画像読取方式（画像読取手段）の選択状態は、原稿検知センサ１８０２によりＡＤＦの原稿セット位置１８０１における原稿の有無を検出することによって、簡単安価に、また、直接的に検出できる。
【００７１】
ステップＳ４１９でＡＤＦに原稿がセットされている（ＡＤＦ読取方式が選択されている）場合には、ステップＳ４２１で、エラー警告を行なう。すなわち、ステップＳ４１９が肯定されたということは、全面読取またはプリスキャンを行なう必要があるにもかかわらず、ＡＤＦ読取方式が選択されていることを意味し、正常な読取動作が不可能であるためで、ステップＳ４２１ではその旨をユーザにエラー警告する。たとえば、「ＡＤＦから原稿を除去し、フラットベッド読取を選択してください」、のようなメッセージをディスプレイ３１７で可視表示したり、あるいはスピーカから音声出力することによりエラー警告する。
【００７２】
一方、ステップＳ４１９でＡＤＦに原稿がセットされていない、すなわちフラットベッド読取方式が選択されている場合は、ステップＳ４２０において、後述の原稿の全面読取を伴なうフチ無しコピー動作、または原稿サイズ検出を伴なうコピー動作を行なう。
【００７３】
上記のプリスキャンによる原稿サイズ検知を行なうか否かはコピーモード（コピー種類）によって異なる。
【００７４】
本実施形態のＭＦＰは、図５に示すような６種類のコピーモードが可能であるものとする。すなわち、本実施形態のＭＦＰで可能なコピーモード（コピー種類）は次のようなものである。
【００７５】
（１）単純に原稿をコピーするだけの通常コピー
（２）オペレータに指定された繰返し数だけ記録紙に繰返し原稿をコピーする繰返しコピー（手動）
（３）プリスキャンを行ない原稿サイズを判断した後、記録紙に記録できるだけ繰返し原稿をコピーする繰返しコピー（自動）
（４）原稿を鏡に映したように反転してコピーする鏡像コピー
（５）プリスキャンを行ない原稿サイズを判断した後、自動的に倍率を決定し、記録紙サイズいっぱいにコピーする自動倍率コピー
（６）記録部の非画像領域（記録紙周囲の余白）なしで記録紙全面に原稿をコピーするフチ無しコピー。
【００７６】
本実施形態ではプリスキャンにより原稿サイズ検知を行なうコピーは、（３）繰返しコピー（自動）、（５）自動倍率コピー、および（６）フチ無しコピーの３種類のみである（ただしフチ無しコピーでは原稿サイズ検知はコピー制御方式によっては必ずしも必須ではない）。コピー種類が原稿サイズ検知を行なう（３）繰返しコピー（自動）、（５）自動倍率コピー、ないし（６）フチ無しコピー（ただし原稿サイズ検知を用いるもの）であった場合、実際のコピーに用いる画像の読取処理に先立ちプリスキャンを行って原稿サイズを判断する。
【００７７】
図４のステップＳ４１９でＡＤＦ読取方式が選択されていないことが確認された後ステップＳ４２０において行なうコピー動作では、原稿サイズ検知を伴なうコピーか、全面読取を伴なうフチ無しコピーを行なうことになる。
【００７８】
フチ無しコピーは、図６〜図８に示すような方法で行なうことができる。図６は、面倒な多数の手動設定を必要とせずフチ無しコピーを実行するための制御手順の一例を示している。図６の手順は、ＣＰＵ１０１により、図４のステップＳ４２０の内部で行なえばよい。
【００７９】
図６の制御では、ユーザは
（ａ）はみ出し量大
（ｂ）はみ出し量小
の２つの設定のうちいずれか１方を選択するだけでよい。
【００８０】
このようなはみ出し量の選択操作は、セットキー３１５、メニューキー３１６、ディスプレイ３１７などを用いた適当なユーザーインターフェースによりユーザに行なわせることができる。たとえば、図９に示すようなはみ出し量設定メニュー９０をディスプレイ３１７に表示することにより設定させる。
【００８１】
図９のはみ出し量設定メニュー９０は、タッチパネル方式、あるいははみ出し量設定のためのカーソル９１、ポインティングデバイスにより操作するためのボタン９２〜９４を含む。カーソル９１は、同図左側に示された「はみ出し量」として「大」、「小」のいずれを選択するかを決定するため適当な操作方式（タッチパネル、ポインティングデバイス、矢印キーなどによる）により操作されるものであり、下部の「ＯＫ」ボタン９２が押下された時にカーソル９１が位置する「大」、「小」のいずれかの設定が入力される。「キャンセル」ボタン９３、「戻る」ボタン９４は、それぞれ設定を中止する、直前のメニューに戻る、などの目的で使用される。
【００８２】
図９のように、本実施形態によれば、ユーザは従来必要であった拡大率や余白の数値設定を何ら行なうことなく、フチ無しコピーを制御する「大」、「小」の「はみ出し量」を設定するだけで済むので、ユーザの負担は非常に小さくて済み、容易に設定操作を終了することができる。
【００８３】
図６のステップＳ６０１では、まず現在設定されているコピー種類がフチ無しコピーであるかどうかを調べる。ここでフチ無しコピーが選択されている場合は、ステップＳ６０２〜Ｓ６０６の処理を行なう。
【００８４】
まず、ステップＳ６０２では、あらかじめユーザが行なっている上記のはみ出し量の設定をメモリから読み取る。ユーザのはみ出し量の設定が「小」であればステップＳ６０３へ、「大」であればステップＳ６０５に移行する（ユーザの設定が行なわれていない場合のデフォルトはたとえば「小」とする）。
【００８５】
はみ出し量の設定が小であった場合には、ステップＳ６０３において設定倍率（原稿サイズに対しての記録紙印字サイズ）×１．０５の変倍（拡大）倍率を、はみ出し量の設定が大であった場合は、ステップＳ６０５において設定倍率（原稿サイズに対しての記録紙印字サイズ）×１．１の変倍（拡大）倍率を選択する。
【００８６】
ここで、これらの変倍倍率の設定につき説明する。
【００８７】
本実施形態では、ユーザ設定のはみ出し量が大の場合拡大倍率を１．１倍に、はみ出し量が小の場合は拡大倍率を１．０５倍に設定する。
【００８８】
たとえば、設定倍率（原稿サイズに対しての記録紙印字サイズ）が１００％であった場合、はみ出し量が小であった場合には、１００％を１．０５倍して１０５％の拡大率で、またはみ出し量が大であった場合には、１００％に１．１倍して１１０％の拡大率となる。
【００８９】
これらの変倍倍率は次のような用途を想定して決定したものである。
【００９０】
まず、はみ出し量大の１．１倍はフチありのＬ版原稿を記録紙Ｌ版にフチ無しコピーする場合に適した拡大率で、少しマージンをみて拡大率を１．１倍に設定している。
【００９１】
また、はみ出し量小の１．０５倍はＡ４の原稿を記録紙Ａ４にコピーする場合に適した拡大率で、拡大率をこれ以上小さくしてしまうと、メカ精度等によって記録紙が斜行したりするとフチ無しコピーが出来ない可能性があるため、１．０５倍に設定している。
【００９２】
なお、上記のこれらの変倍倍率の値はあくまでも一例であり、装置の機械構造や特性によって異なるため、必ずしもこの限りではないのはいうまでもない。
【００９３】
ステップＳ６０３またはＳ６０５において変倍倍率を決定したら、後続のステップＳ６０４またはステップＳ６０６において、それぞれ設定倍率（原稿サイズに対しての記録紙印字サイズ）、はみ出し量に基づいて拡大倍率が決定したら「設定倍率＋」と表示させる。たとえば、設定倍率（原稿サイズに対しての記録紙サイズ）が１００％であった場合「１００％＋」と表示する。もちろん、ここで上記の１０５％や１１０％のように決定した具体的な倍率の数値を表示してもよいが、「１００％＋」のように具体的な倍率の数値は表示しないようにすれば、ユーザを無用に混乱させることがない。また、「１００％＋」のように具体的な倍率の数値は表示しないモニタ表示方式ははみ出し量を「大」、「小」のように設定を行なう本実施形態の設定方式によく整合し、装置の使い勝手はより自然になる。ただし、このような決定した拡大倍率のモニタ表示形式も、要はユーザに現在の変倍倍率を適宜報知できれば任意のものでよく、当業者において適宜変更してよい。
【００９４】
なお、原稿サイズに対しての記録紙サイズ（厳密には記録紙の有効記録サイズ）、すなわち設定倍率は、それぞれ適当な方法で検知することができる。たとえば、原稿サイズは、他のコピーの場合と同様にプリスキャンにより検出することができるし、またユーザが適当なユーザーインターフェースにより手動で入力するような方式であってもよい。記録紙サイズは記録紙カセットなどに設けた適当なセンサにより検出できるし、また、これもユーザが明示的な操作により手動入力してもよい。そして、原稿サイズおよび記録紙サイズが判明すれば、両者の比率から両者の相対倍率、すなわち上記の設定倍率を計算することができる（あるいはユーザが直接この設定倍率を手動操作により選択するユーザーインターフェースも考えられる）。
【００９５】
ステップＳ６０７における実際のフチ無しコピー処理では、図７および図８に示すような処理を行なう。
【００９６】
図７（Ａ）は比較のためにフチありコピーの読取範囲７１を示している。フチありコピーの場合は図７（Ａ）に示すように上下左右をそれぞれ２ｍｍ、５ｍｍ、２．６ｍｍ、１ｍｍずつマスクする（この範囲はイメージセンサ１８０６から読み込まない）。
【００９７】
一方、フチ無しコピーの読取範囲７２は、図７（Ｂ）に示すようであり、この場合はイメージセンサ１８０６により読取った画像をマスクすることなく原稿画像のフルサイズ読取（全面読取）を行なう。
【００９８】
そして、ステップＳ６０３またはＳ６０５で決定した拡大倍率だけ図８（Ａ）に示すように拡大する。図８（Ａ）の符号８１はこの拡大処理により拡大された部分を示している。さらに、図８（Ｂ）に示すように拡大した画像８１の中心部分を出力できるようセンタリング処理を行なう。センタリング処理後の出力範囲は８２となり、画像範囲８３は出力しない。
【００９９】
図８（Ｂ）のようなセンタリング処理を行なうことにより、読取系および記録系に何らかの誤差があっても、記録紙の周辺部に不均等な余白が生じるのを回避することができる。
【０１００】
図８（Ｂ）のように拡大された画像はプリンタエンジンに送られ記録紙上にフチ無し画像（あるいは余白があっても所定以下の極めて余白が小さい画像）が出力される。
【０１０１】
以上の実施形態によれば、全面読取の必要な（あるいはプリスキャンを行なう必要がある）コピーモード（コピー種別）が選択されているにもかかわらず、それに不適なＡＤＦ読取方式が選択されている場合はエラー処理を行ない、その旨をユーザに報知してコピー処理を行なわないようにしているので、ユーザが不適当な読取方式を用いてコピーを強行し、意図したものと異なるコピーが行なわれるのを未然に防止することができる。
【０１０２】
また、全面読取した原稿画像を所定の変倍倍率で拡大して記録紙に記録するフチ無しコピーにおいては、はみ出し量、すなわち、原稿画像の拡大により、記録紙からはみ出して非記録となる画像の大きさに相当するはみ出し量の設定を行なうのみで、拡大のための変倍倍率を自動的に決定して失敗なくフチ無しコピーを実行することができる。
【０１０３】
特に、ユーザは、はみ出し量の設定操作、たとえば、（ａ）はみ出し量大、（ｂ）はみ出し量小のような設定操作を行なえば済み、設定倍率（原稿サイズ：記録紙サイズの相対倍率）や変倍倍率の数値入力のようにイメージしづらく、また設定操作に習熟を要する設定操作を行なわなくても良いので、極めて容易に失敗なくフチ無しコピーを実行することができる。
【０１０４】
【発明の効果】
以上の説明から明らかなように、本発明によれば、画像読取手段により原稿から全面読取した画像を所定の変倍倍率で拡大して記録紙に記録するフチ無しコピーモードにより原稿画像を記録紙に記録する画像処理装置、その制御方法、およびその制御プログラムにおいて、前記原稿画像の拡大により、記録紙からはみ出して非記録となる画像の大きさに相当するはみ出し量をユーザ設定させ、ユーザが設定したはみ出し量に基づき、前記拡大の際の変倍倍率を決定する構成を採用しているので、ユーザははみ出して非記録となる画像の大きさに相当するはみ出し量の設定を行なうのみで、数値入力のようにイメージしずらく、また設定操作に習熟を要する設定操作を行なうことなく、拡大のための変倍倍率を自動的に決定して失敗なくフチ無しコピーを実行することができる、という優れた効果がある。
【図面の簡単な説明】
【図１】本発明を採用したＭＦＰ（Ｍｕｌｔｉ　Ｆｕｎｃｔｉｏｎ　Ｐｅｒｉｐｈｅｒａｌ：多機能周辺機器）の構成を示したブロック図である。
【図２】図１の装置の操作パネルの構成を示した説明図である。
【図３】図１の装置の画像読取部の構成を示した説明図である。
【図４】図１の装置の画像処理手順を示したフローチャート図である。
【図５】図１の装置がサポートするコピーモードを示した説明図である。
【図６】本発明におけるフチ無しコピーの制御手順を示したフローチャート図である。
【図７】本発明におけるフチ無しコピーの制御を示した説明図である。
【図８】本発明におけるフチ無しコピーの制御を示した説明図である。
【図９】本発明におけるはみ出し量設定メニューを示した説明図である。
【符号の説明】
９０　はみ出し量設定メニュー
１０１　ＣＰＵ
１０２　ＲＯＭ
１０３　プリンタ
１０４　ＳＲＡＭ
１０６　イメージプロセッサ
１０７　イメージセンサ
１０８　操作パネル
１０９　ディスプレイ
１１０　ＰＣインターフェース
１１１　ＰＣ
３０１　電源キー
３０２　リカバリキー
３０３　メモリ使用表示ＬＥＤ
３０４　エラー表示ＬＥＤ
３０５　モード切替キー
３０６　カラーモード表示ＬＥＤ
３０７　カラー／モノクロ切替キー
３０８　ストップキー
３１１　コピー画質選択キー
３１３　記録紙サイズ選択キー
３１４　コピー倍率設定キー
３１５　セットキー
３１６　メニューキー
３１７　ディスプレイ
１８０１　原稿セット位置
１８０２　原稿検知センサ
１８０４　ＡＤＦ読取位置
１８０５　イメージセンサホームポジション
１８０６　イメージセンサ
１８０７　原稿台
１８０９　原稿突き当て位置
１８１０　白黒基準板
１８１１　圧板
１８１２　搬送手段
【図１】
2004104190.tif 000003
【図２】
2004104190.tif 000004
【図３】
2004104190.tif 000005
【図４】
2004104190.tif 000006
【図５】
2004104190.tif 000007
【図６】
2004104190.tif 000008
【図７】
2004104190.tif 000009
【図８】
2004104190.tif 000010
【図９】
2004104190.tif 000011